(57)【特許請求の範囲】
【請求項１】
利用者が座ったり、横たわるための休息用家具において、
本体部と、
この本体部の上面に載置されるパッドと、
このパッドに厚さ方向に貫通して形成されたスリットと、
このスリットに挿通される取付け片を有したクッション体と、
スリットに挿通された取付け片を上記本体部の上面に着脱可能に結合する結合手段と
を具備したことを特徴とする休息用家具。
【請求項２】
上記結合手段は、上記本体部に用いられたパイル地からなる外装地と、上記取付け片に設けられ上記外装地に着脱可能に係着する面状ファスナとによって構成されていることを特徴とする請求項１記載の休息用家具。
【請求項３】
仰臥した利用者の上半身を起こすことができる背上げ式ベッド装置において、
ベッド本体と、
複数の床部に分割され少なくとも１つの床部が起伏可能な状態で上記ベッド本体に設けられた床板体と、
この床板体上に載置されたマットレスと、
このマットレス上に長手方向一端部を起伏可能な上記床部側に位置させて載置されるとともにこの長手方向一端部に幅方向に沿うスリットが厚さ方向に貫通して形成されたパッドと、
取付け片を有し、この取付け片が上記スリットに挿通されて上記マットレスに着脱可能に結合されるクッション体と
を具備したことを特徴とする背上げ式ベッド装置。
【発明の詳細な説明】
【０００１】
【発明の属する技術分野】
この発明は利用者が座ったり、横たわるなどして利用することができる休息用家具及び床板体上に仰臥した利用者の上半身を起こすことができる背上げ式ベッド装置に関する。
【０００２】
【従来の技術】
最近、休息用家具として室内空間を有効に利用することができるという利点に着目されてベッドとソファーとを兼用することができるソファーベッドが独身生活者に多く用いられる傾向にある。
【０００３】
一般にソファーベッドは、座クッション部と背クッション部とがヒンジによって回動可能に連結されていて、ソファーとして利用する場合には、背クッション部を座クッション部に対して所定の角度で起立させ、ベッドとして利用する場合には背クッションを座クッションと平面をなすようほぼ水平に倒伏させて利用するようになっている。
【０００４】
しかしながら、このような構成のソファーベッドによると、ヒンジ機構を用いた構成であるため、全体の構成が複雑化するということがあるばかりか、ソファーとベッドとの変換操作が煩わしく、利用者にとって不便であるなどのことがあった。
【０００５】
【発明が解決しようとする課題】
そこで、最近のソファーベッドは、所定の厚さを有する矩形状のクッション装置、つまりマットレス装置に類似した構成のクッション装置をベッドとして用いたり、ソファーとして用いるようにしている。
【０００６】
ベッドとして用いる場合には枕が必要であり、ソファーとして用いる場合には、肘掛けや背凭れとなるクッション体が必要となり、さらに保温性やクッション性の向上を図ったり、クッション装置の外装地が早期に損傷するのを防止するためなどに、クッション装置の上面にパッドを設けることなどが行なわれている。
【０００７】
従来、上記パッド、枕、肘掛けあるいは背凭れとなるクッション体は、クッション装置の上面に単に載置されるだけであった。そのため、使用中にクッション装置上でずれ動いたり、クッション装置の上面から落下してしまうなどのことがあったので、使用し難いということがあった。
【０００８】
また、背上げ式ベッド装置においては、複数の床部に分割された、少なくとも１つの床部が起伏駆動される床板体上にマットレスを載置し、このマットレス上にさらに保温性の向上やマットレスを直接汚すのを防止するためなどにパッドを載置する場合がある。
【０００９】
そのような構成の場合、床部を起上方向に駆動すると、マットレス上からパッドがずれ落ちたり、さらにはパッド上に載置されるクッション体としての枕が落下してしまうなどのことがあるため、使用し難く、非常に不便であるということがあった。
【００１０】
この発明はクッション装置の上面に設けられるクッション体がずれ動いたり、落下するようなことがないようにした休息用家具を提供することにある。
【００１１】
この発明は床部を起上方向に駆動しても、床板体上に載置されたパッドがずれ動いたり、クッション体が落下するなどのことを防止できるようにした背上げ式ベッド装置を提供することにある。
【００１２】
【発明が解決しようとする課題】
請求項１の発明は、利用者が座ったり、横たわるための休息用家具において、
本体部と、
この本体部の上面に載置されるパッドと、
このパッドに厚さ方向に貫通して形成されたスリットと、
このスリットに挿通される取付け片を有したクッション体と、
スリットに挿通された取付け片を上記本体部の上面に着脱可能に結合する結合手段と
を具備したことを特徴とする休息用家具にある。
【００１３】
請求項２の発明は、上記結合手段は、上記本体部に用いられたパイル地からなる外装地と、上記取付け片に設けられ上記外装地に着脱可能に係着する面状ファスナとによって構成されていることを特徴とする請求項１記載の休息用家具にある。
【００１４】
請求項３の発明は、仰臥した利用者の上半身を起こすことができる背上げ式ベッド装置において、
ベッド本体と、
複数の床部に分割され少なくとも１つの床部が起伏可能な状態で上記ベッド本体に設けられた床板体と、
この床板体上に載置されたマットレスと、
このマットレス上に長手方向一端部を起伏可能な上記床部側に位置させて載置されるとともにこの長手方向一端部に幅方向に沿うスリットが厚さ方向に貫通して形成されたパッドと、
取付け片を有し、この取付け片が上記スリットに挿通されて上記マットレスに着脱可能に結合されるクッション体と
を具備したことを特徴とする背上げ式ベッド装置にある。
【００１５】
請求項１と請求項２の発明によれば、パッドに形成されたスリットにクッション体に設けられた取付け片を挿通し、この取付け片を本体部の上面に保持固定するようにしたことで、クッション体が本体部の上面でずれ動いたり、上面から落下するようなことがないばかりか、本体部の上面に載置されたパッドも上記取付け片によってずれ動くのが阻止されるから、クッション体やパッドを安定した状態で利用することができる。
【００１６】
請求項３の発明によれば、マットレス上に載置されるパッドにスリットを形成し、パッド上に設けられるクッション体に上記スリットに挿通されてマットレスに着脱可能に連結される取付け片を設けたことで、クッション体及びこのクッション体の取付け片を介してパッドがマットレスに結合されるから、背上げ時にパッドやクッション体がずれたり、落下するのを防止できる。
【００１７】
【発明の実施の形態】
以下、この発明の実施の形態を図面を参照しながら説明する。
【００１８】
図１乃至図３はこの発明の第１の実施の形態を示し、図１は休息用家具としてのクッション装置１の斜視図である。このクッション装置１は本体部２を有する。この本体部２は図２と図３に示すように下面四隅部に脚３が設けられた矩形状の基板４と、この基板４の上面に設けられたスプリングユニット５と、このスプリングユニット５の上面に載置された弾性シート６及びこの弾性シート６の上面とスプリングユニット５の外周面を覆う外装地７とから構成されている。
【００１９】
上記外装地７の周辺部は上記基板４の下面に図示せぬタッカなどによって固定されている。この外装地７は後述する面状ファスナ１６（ベルベットファスナ）が着脱可能に係合するパイル地によって形成されている。
【００２０】
上記本体部２の上面にはパッド８が載置される。このパッド８は布地製の袋体９内に綿などのクッション性を有する詰め物１０が充填されていて、上記本体部２の上面形状に対応するほぼ矩形状に形成されている。このパッド８の周辺部の四辺にはそれぞれ各辺に沿って細長いスリット１１が厚さ方向に貫通して形成されている。この実施の形態では図１に示すように５つのスリット１１が同じ長さで形成されている。
【００２１】
上記パッド８上にはクッション体１２が着脱可能に設けられる。このクッション体１２はウレタンフォームなどによって円柱状に形成された芯材１３と、この芯材１３を被覆したカバー１４とから形成されていて、このカバー１４の外周面には図３に示すように長手方向に沿って上記スリット１とほぼ同じ長さ寸法の取付け片１５の一端部が縫着されている。この取付け片１５の他端部には上記面状ファスナ１６が取着されている。
【００２２】
したがって、上記取付け片１５をパッド８のスリット１１に挿通し、パッド８の下面側から突出した上記取付け片１５の端部の面状ファスナ１６を本体部２のパイル地からなる外装地７に係着させることで、クッション体１２を本体部２の上面に設けられたパッド８上に保持固定することができるようになっている。
【００２３】
つまり、上記外装地７と面状ファスナ１６とで、取付け片１５を本体部２に着脱可能に保持する結合手段を構成している。
【００２４】
このように構成されたクッション装置１によれば、このクッション装置１をソファー用などとして利用する場合には、本体部２の長手方向両端部のスリット１１を利用してクッション体１２をパッド８上に設ける。それによって、本体部２のパッド８上に着座した利用者は上記クッション体１２を肘掛けとして利用することができる。また、利用者がパッド８上で横たわるときにはそれらのクッション体１２を枕や背凭れとして利用することもできる。
【００２５】
クッション装置１をベッドとして利用する場合には、本体部２の長手方向一端部だけにクッション体１２を設ける。それによって、このクッション体１２を枕として利用することができる。
【００２６】
クッション体１２は取付け片１５によってクッション装置１の本体部２の外装地７に着脱可能に連結される。そのため、クッション体１２は使用中に本体部２の上面でずれ動いたり、上面から落下するのが阻止されるから、安定した状態で確実に使用することが可能となる。
【００２７】
クッション体１２の取付け片１５をパッド８のスリット１１に挿通し、先端に設けられた面状ファスナ１６を本体部２の外装地７に係着させたことで、クッション体１２が本体部２に保持固定されるだけでなく、パッド８が取付け片１５を介して本体部２に保持固定されることになる。
【００２８】
そのため、パッド８がクッション体１２とともに本体部２の上面でずれ動いたり、丸まるのが阻止されるから、このパッド８も安定した状態で使用することができる。
【００２９】
また、本体部２の外装地７をパイル地とし、クッション体１２の取付け片１５に上記外装地７に係着する面状ファスナ１６を設けることで、クッション体１２を本体部２に取付けるようにした。
【００３０】
そのため、上記面状ファスナ１６を外装地７のどこにでも係着させることができるから、クッション体１２を位置決めすることなく本体部２に取付け固定することができる。
【００３１】
この発明は上記一実施の形態に限定されるものでなく、たとえばクッション体１２を本体部２に取付固定する固定手段としては、ホックや釦などであってもよく、
がを用いるようにしてもよく、その点はなんら限定されるものでない。
【００３２】
また、本体部２は、基板４上にスプリングユニット５を設けてクッション性能を有する構成としたが、スプリングユニット５を用いず、クッション性能を持たない構成であってもよい。
【００３３】
図４と図５はこの発明の第２の実施の形態の背上げ式ベッド装置２１を示す。この背上げ式ベッド装置はベッド本体２１を有する。このベッド本体２１はベースフレーム２２にベッドフレーム２３が設けられている。このベッドフレーム２３は、長手方向一端にヘッドボード２４、他端にフットボード２５が設けられ、上面には床板体２６が載置されている。
【００３４】
上記床板体２６は複数の床部、この実施の形態では５つの床部２７ａ〜２７ｅに分割されていて、中央の床部２７ｃはベッドフレーム２３に固定され、他の床部は上記床部２７ｃの一端と他端とに順次回動可能に連結されている。
【００３５】
上記ベッドフレーム２３の下面側には背上げ駆動機構２８が設けられている。この背上げ駆動機構２８は回転駆動される第１のアーム２９と第２のアーム３０を有する。第１のアーム２９はヘッドボード２４側に位置する床部２７ａを上昇方向に駆動し、第２のアーム３０はフットボード２５側に位置する床部２７ｄを上昇方向に駆動する。それによって、床板体２６の各床部はベッドフレーム２３上でほぼ水平に倒伏した状態から図４に示すように起上方向に駆動されることになる。
【００３６】
上記床板体２６上には屈曲可能なマットレス３１が載置され、このマットレス３１上にはパッド３２が載置されている。このパッド３２の長手方向一端部、つまり第１のアーム２９によって起上される床部２７ａ側に位置する一端部には幅方向に沿って細長いスリット３３が厚さ方向に貫通して形成されている。
【００３７】
上記パッド３２の長手方向一端部上にはクッション体としての枕３４が設けられる。この枕３４には図５に示すように上記スリット３３に挿通された取付け片３５が一端部を連結固定して設けられている。この取付け片３５の他端部には面状ファスナ３６が設けられ、この面状ファスナ３６は上記マットレス３１に設けられた面状ファスナ３７に着脱可能に係着される。すなわち、一対の面状ファスナ３６、３７によって枕３４をマットレス３１に取付ける結合手段を構成している。
【００３８】
このような構成の背上げ式ベッド装置２１によれば、枕３４に設けられた取付け片３５をパッド３２のスリット３３に挿通してマットレス３１に連結固定されている。
【００３９】
そのため、枕３４は上記マットレス３１に取付けられ、パッド３２は枕３４の取付け片３５を介してマットレス３１に取付けられるから、背上げ駆動機構２８を作動させて床板体２６の床部２７ａを起上方向に駆動しても、パッド３２の一端部がマットレス３１上からずれ動いたり、枕３４が落下するなどのことを防止することができる。
【００４０】
したがって、床板体２６を背上げ駆動してパッド３２上に仰臥した利用者が上半身を起こす場合、利用者あるいは介護者がパッド３２や枕３４がずれたり、落下するのを防止せずにすむから、利用し易く、便利である。
【００４１】
上記枕３４はマットレス３１に着脱可能に取付けられている。そのため、パッド３２が汚れるなどして交換する場合には、枕３４をマットレス３１から取り外すことで、上記パッド３２もマットレス３１から簡単に取り外すことができ、便利である。
【００４２】
なお、この実施の形態において、枕３４をマットレス３１に結合する結合手段は、上記第１の実施例のように、マットレスの外装地をパイル地としたり、あるいは面状ファスに代わりホックや釦などを用いても差し支えない。
【００４３】
【発明の効果】
以上のように請求項１と請求項２の発明は、パッドに形成されたスリットにクッション体に設けられた取付け片を挿通し、この取付け片を本体部の上面着脱可能に保持固定するようにした。
【００４４】
そのため、クッション体が本体部の上面でずれ動いたり、上面から落下するようなことがないから、クッション体を安定した状態で利用することができる。
【００４５】
しかも、本体部の上面に載置されたパッドも、クッション体の上記取付け片によってずれ動くのが阻止されるから、クッション体だけでなく、パッドも安定した状態で利用することができる。
【００４６】
請求項３の発明によれば、背上げ式ベッド装置において、マットレス上に載置されるパッドにスリットを形成し、枕などのクッション体に、上記スリットに挿通されて上記マットレスに結合される取付け片を設けた。
【００４７】
そのため、枕とパッドは取付け片を介してマットレスに結合固定されるため、背上げ時に上記パッドやクッション体がマットレス上でずれ動いたり、落下するのを防止することができる。
【図面の簡単な説明】
【図１】この発明の第１の実施の形態を示す休息用家具としてのクッション装置の斜視図。
【図２】クッション装置の縦断面図。
【図３】クッション体の取付け部分の拡大断面図。
【図４】この発明の第２の実施の形態を示す背上げ式ベッド装置の概略的構成の側面図。
【図５】マットレスに対する枕の取付け構造を示す拡大断面図。
【符号の説明】
２…本体部
７…外装シート
８…パッド
１１…スリット
１２…クッション体
１５…取付け片（結合手段）
１６…面状ファスナ（結合手段）
２６…床板体
２７ａ〜２７ｄ…床部
３１…マットレス
３２…パッド
３３…スリット
３４…クッション体
３５…取付け片
【図１】
0003715869.tif 000002
【図２】
0003715869.tif 000003
【図３】
0003715869.tif 000004
【図４】
0003715869.tif 000005
【図５】
0003715869.tif 000006